(57)【要約】【課題】小容量（５００ｍｌ以下）の飲みきりタイプの液体飲料紙容器で、液体飲料を飲みきるまでの間、タブシールを一時的に容器に保持するようにして利便性を高めたタブシール付液体飲料紙容器の提供にある。【解決手段】天面板８と側面胴部７と底面板９とでなり、天面板８には飲み口部３０を閉口するタブシールが設けられ、該側面胴部７には一枚のカートン紙を主体とする積層材料１０の封筒貼りでなるてサイドシール部２０を形成している液体飲料紙容器で、前記サイドシール部２０を構成する外側の積層材料２０ａに、内側に入り込む未シール部２０ａを設けたもので、液体飲料の飲用に際し、未シール部２０ａにタブシール１２を一時的に挟み込んで保持することのできるタブシール付液体飲料紙容器１とするものである。【選択図】図２
2006036249.tif 000002
【特許請求の範囲】
【請求項１】
天面板と側面胴部と底面板とでなり、該天面板の一部には飲み口部が刻設され、該飲み口部を覆うようにタブシールで閉口され、該側面胴部には一枚のカートン紙を主体とする積層材料の外側と内側の端縁が重ね合わされてサイドシール部を形成している小容量の飲みきりタイプの液体飲料紙容器において、前記サイドシール部を構成する外側の積層材料の一部に、外側に突出するもしくは内側に入り込む未シール部が設けられていることを特徴とするタブシール付液体飲料紙容器。
【請求項２】
前記外側の積層材料の一部に設けられた内側に入り込む未シール部の上端縁および／または下端縁に切り欠きが設けられていることを特徴とする請求項１記載のタブシール付液体飲料紙容器。
【発明の詳細な説明】
【技術分野】
【０００１】
本発明は、ジュースなどの液体飲料を収納する紙容器に関するものであり、さらに詳細には、小容量の飲みきりタイプの液体飲料紙容器であって、その開封に使い勝手のよいタブシールが設けられている液体飲料紙容器に関するものである。
【背景技術】
【０００２】
従来、液体飲料を収納する紙容器、特に小容量（１８０ｍｌ〜５００ｍｌ程度）の飲みきりタイプの液体飲料紙容器として、例えば図７（ａ）およびそのＢ−Ｂ面を表す図７（ｂ）の断面図に示すように、比較的薄手のカートン用紙を主体とした積層材料でなり、側面胴部（７）にサイドシール部（２０）を有する長方体形状でれんが型（ブリック）タイプの液体飲料紙容器（５）が知られ、ジュースなどの液体飲料を天面に設けられている飲み口部（３０）を覆っているタブシール（１２）を剥離して飲み口部（ストローあるいは直接飲用するようになっている。
【０００３】
あるいはまた、図８（ａ）およびそのＢ−Ｂ面を表す図８（ｂ）の断面図に示すように、比較的薄手のカートン用紙を主体とした積層材料でなり、側面胴部（７）にサイドシール部（２０）を有する円筒状の液体飲料紙容器（６）が知られ、ジュースなどの液体飲料を天面に設けられている飲み口部（３０）を覆っているタブシール（１２）を剥離して飲み口部（３０）を開口し、ストローあるいは直接飲用するようになっている（例えば、特許文献１参照。）。
【０００４】
以下に、上記先行技術文献を示す。
【特許文献１】特開平９−４８４１８号公報
【発明の開示】
【発明が解決しようとする課題】
【０００５】
上記れんが型（ブリック）タイプの液体飲料紙容器（５）について、さらに詳しく説明すると、例えば図７（ｂ）に示すように、天面のカートン用紙（１１）を主体とした積層材料（１０）の一部に飲み口部（３０）が刻設され、この飲み口部（３０）を、アルミニウム箔（Ａｌ）にシーラント層（１６）がラミネートされているタブシール（１２）で覆うように閉口し、かつ、該積層材料（１０）の内面全面にアルミニウム箔（Ａｌ）にポリエチレン層（ＰＥ）がラミネートされているバリア層（１４）がサンドポリエチレン層（ＳＰ）を介してラミネートされている該サンドポリエチレン層（ＳＰ）に、タブシール（１２）のシーラント層（１６）がシールされている。
【０００６】
上記飲み口部（１０）の開口は、タブシール（１２）の端縁（１２ａ）を摘んで引っ張り上げると、飲み口部（１０）を塞いでいるバリア層（１４）が破れ、タブシール（１２）とともに取り除かれるようになっている。
【０００７】
このように、上記の従来技術、すなわちタブシール（１２）を剥離して飲み口部（１０）を開口する手段においては、剥離され取り除かれるタブシール（１２）は、ジュース等飲料を飲みきるまでの間、捨てれない、容器の中に入れるのは衛生的でない、たとえ置く場所があったとしても、他のものを汚す危惧がある、仕方なく手で持っているなど一時的に置く場所がないといった不便さが問題点であった。
【０００８】
本発明は、かかる従来技術の問題点を解決するものであり、その課題とするところは、
液体飲料を収納する紙容器、特に小容量（５００ｍｌ以下）の飲みきりタイプの液体飲料紙容器で、タブシールを剥離して飲み口部を開口する手段において、前記液体飲料を飲みきるまでの間、前記タブシールを一時的に容器に保持するようにして利便性を高めたタブシール付液体飲料紙容器を提供することにある。
【課題を解決するための手段】
【０００９】
本発明に於いて上記課題を達成するために、まず請求項１の発明では、天面板と側面胴部と底面板とでなり、該天面板の一部には飲み口部が刻設され、該飲み口部を覆うようにタブシールで閉口され、該側面胴部には一枚のカートン紙を主体とする積層材料の外側と内側の端縁が重ね合わされてサイドシール部を形成している小容量の飲みきりタイプの液体飲料紙容器において、前記サイドシール部を構成する外側の積層材料の一部に、外側に突出するもしくは内側に入り込む未シール部が設けられていることを特徴とするタブシール付液体飲料紙容器としたものである。
【００１０】
また、請求項２の発明では、前記外側の積層材料の一部に設けられた内側に入り込む未シール部の上端縁および／または下端縁に切り欠きが設けられていることを特徴とする請求項１記載のタブシール付液体飲料紙容器としたものである。
【発明の効果】
【００１１】
本発明は以上の構成であるから、下記に示す如き効果がある。
【００１２】
即ち、上記請求項１に係る発明によれば、天面板と側面胴部と底面板とでなり、該天面板の一部には飲み口部が刻設され、該飲み口部を覆うようにタブシールで閉口され、該側面胴部には一枚のカートン紙を主体とする積層材料の外側と内側の端縁が重ね合わされてサイドシール部を形成している小容量の飲みきりタイプの液体飲料紙容器において、前記サイドシール部を構成する外側の積層材料の一部に、外側に突出するもしくは内側に入り込む未シール部が設けられているので、液体飲料の飲用に際し、天面板に刻設されている飲み口部を覆うようにシールしているタブシールを剥離し、そのタブシールを、前記サイドシール部の未シール部に液体飲料を飲み切るまでの間一時的に挟み込んで保持して置くことができ、よってタブシールを一時的に置く場所がないという不便さのないタブシール付液体飲料紙容器とすることができる。
【００１３】
また、上記請求項２に係る発明によれば、前記外側の積層材料の一部に設けられた未シール部のうち、外側に突出する未シール部には不必要であるが、内側に入り込む未シール部の上端縁および／または下端縁に切り欠きを設けることによって、その切り欠きにより未シール部が持ち上げられ易くなり、そのために液体飲料の飲用に際し、天面板からタブシールを剥離し、そのタブシールを内側に入り込む未シール部に一時的に挟み込み易くし保持して置くことができ、よってタブシールを一時的に置く場所がないという不便さのないタブシール付液体飲料紙容器とすることができる。
【００１４】
従って本発明は、ジュースなどの液体飲料を収納する紙容器で、小容量の飲みきりタイプの液体飲料紙容器で、その飲用に際し、開封（開口）に使い勝手のよいタブシール付液体飲料紙容器として、優れた実用上の効果を発揮する。
【発明を実施するための最良の形態】
【００１５】
以下本発明を実施するための最良の形態を図面を用いて詳細に説明する。
【００１６】
本発明のタブシール付液体飲料紙容器は、例えば図１（ａ）の斜視図およびそのＢ−Ｂ面を表す図１（ｂ）の断面図に示すように、一枚の比較的薄手のカートン用紙を主体とした積層材料（１０）を用い、長方体形状でれんが型（ブリック）タイプの液体飲料紙容器
であって、この容器は側面胴部（７）に天面板（８）と底面板（９）が連設していて、天面板（８）の一部に飲み口部（３０）を有し、この飲み口部（３０）を覆うようにタブシール（１２）でシールして閉口されている。
【００１７】
さらにこの側面胴部（７）には一枚のカートン用紙を主体とした積層材料（１０）の外側と内側の端縁が重ね合わされてサイドシール部（２０）を形成している。
【００１８】
そこで、上記請求項１に係る発明では、このサイドシール部（２０）を構成する外側の積層材料（１０ａ）に、内側に入り込む未シール部（２０ａ）が設けられているタブシール付液体飲料紙容器（１）とするものである。
【００１９】
図１（ａ）、（ｂ）に示すような内側に入り込む未シール部（２０ａ）が設けられているタブシール付液体飲料紙容器（１）において、ジュースなど液体飲料の飲用に際し、天面板（８）の飲み口部（３０）をシールして閉口しているタブシール（１２）を剥離し、例えば図２（ａ）の斜視図およびそのＢ−Ｂ面を表す図２（ｂ）の断面図に示すように、剥離されたタブシール（１２）を、液体飲料を飲み切るまでの間一時的にサイドシール部（２０）の未シール部（２０ａ）に挟み込んで保持して置くことができるようにして、タブシールを一時的に置く場所がないという不便さを解消したタブシール付液体飲料紙容器（１）とすることができる。
【００２０】
また、本発明のタブシール付液体飲料紙容器は、例えば図３（ａ）の斜視図およびそのＢ−Ｂ面を表す図３（ｂ）の断面図に示すように、一枚の比較的薄手のカートン用紙を主体とした積層材料（１０）を用い、円筒形状の側面胴部（７）に天面板（８）と底面板（９）が緊合されている略円柱状の液体飲料紙容器にも適用することができ、この天面板（８）の一部に飲み口部（３０）を有し、この飲み口部（３０）を覆うようにタブシール（１２）でシールして閉口している。さらにこの側面胴部（７）には積層材料（１０）の外側と内側の端縁が重ね合わされてサイドシール部（２０）を形成している。
【００２１】
そこで上記請求項１に係る発明では、この円柱状の液体飲料紙容器の側面胴部（７）に形成されているサイドシール部（２０）を構成する外側の積層材料（１０ａ）の外側に突出する未シール部（２０ｂ）が設けられているタブシール付液体飲料紙容器（１）とすることもできる。
【００２２】
図２（ａ）、（ｂ）に示す外側に突出する未シール部（２０ｂ）が設けられているタブシール付液体飲料紙容器（１）において、ジュースなど液体飲料の飲用に際し、天面板（８）の飲み口部（３０）をシールして閉口しているタブシールを剥離し、例えば図２（ａ）および図２（ｂ）に示すように、剥離されたタブシール（１２）を、液体飲料を飲み切るまでの間一時的にサイドシール部（２０）の突出する未シール部（２０ｂ）に挟み込んで保持して置くことができる利便性に優れるタブシール付液体飲料紙容器（１）とすることもできる。
【００２３】
この他に、図示しないが、一枚の比較的薄手のカートン用紙を主体とした積層材料を用い、８角筒形状の側面胴部を有する液体飲料紙容器で、この容器は側面胴部に天面板と底面板が連設していて、天面板の一部に飲み口部を有し、この飲み口部（３０）を覆うようにタブシールでシールして閉口されていて、この側面胴部にはサイドシール部を有するタイプのタブシール付液体飲料紙容器についても、同様に未シール部を設けて、この未シール部に、タブシールを一時的に挟み込んで保持して置くこともできる。
【００２４】
以上のように、剥離されたタブシール（１２）を液体飲料を飲み切るまでの間一時的に挟み込むサイドシール部（２０）を構成する未シール部（２０ａ、２０ｂ）の形状として
、特に限定するものではないが、その一事例として、例えば図４（ａ）の正面図に示すように、サイドシール部（２０）を構成する外側の積層材料（１０ａ）の外側に突出する未シール部（２０ｂ）とすることもでき、また図４（ｂ）および図４（ｃ）の正面図に示すように、サイドシール部（２０）を構成する外側の積層材料（１０ａ）の内側に入り込む未シール部（２０ａ）とすることもできる。
【００２５】
また、上記請求項２に係る発明は、例えば図４（ｂ）の正面図に示すように、サイドシール部（２０）を構成する外側の積層材料（１０ａ）の、内側に入り込む未シール部（２０ａ）の上端縁と下端縁に切り欠き（２２）を設けたものである。
【００２６】
上記切り欠き（２２）の刻設は、例えば図４（ｃ）の正面図に示すように、サイドシール部（２０）を構成する外側の積層材料（１０ａ）の、内側に入り込む未シール部（２０ａ）の上端縁のみとすることもでき、あるいは図示しないが下端縁のみとすることもできる。
【００２７】
このように内側に入り込む未シール部（２０ａ）の上端縁と下端縁にあるいは上端縁か下端縁のいずれか一方に切り欠き（２２）を設けることによって、例えば図５の側断面図に示すように、その外側の積層材料（１０ａ）に刻設されている切り欠き（図示せず）により内側に入り込む未シール部（２０ａ）の先端を持ち上げて、内側の積層材料（１０ｂ）と外側の積層材料（１０ａ）との間に、天面板から剥離されたタブシール（１２）を、内側に入り込む未シール部（２０ａ）に一時的に挟み込み易くすることができるようにしたものである。この切り欠き（２２）は、図４（ａ）に示すような外側に突出する未シール部（２０ｂ）の場合は不必要である。
【００２８】
上記本発明のタブシール付液体飲料紙容器（１）を構成する積層材料（１０）として、例えば図２（ａ）に示すブリックタイプのタブシール付液体飲料紙容器（１）の場合では、図６（ａ）の積層断面図に示すように、坪量２２０ｇ／ｍ２  程度のカートン用紙（１１）を用い、その外面には、厚み２０μｍ程度の低密度ポリエチレン（ＬＤＰＥ）などでなるポリエチレン層（ＰＥ）が押出しラミネートで形成され、内面には、厚み７μｍ程度のアルミニウム箔（Ａｌ）の片面に厚み６０μｍ程度の低密度ポリエチレン（ＬＤＰＥ）などでなるポリエチレン層（ＰＥ）が押出しラミネートで形成されているバリア層（１４）を、低密度ポリエチレン（ＬＤＰＥ）などでなるサンドポリエチレン層（ＳＰ）を介してラミネートして得られる。
【００２９】
上記バリア層（１４）は、内容物である液体飲料の浸透を防止し、ガス（酸素など）バリア性に加え、遮光性と衛生性を付与した層である。
【００３０】
また、本発明のタブシール付液体飲料紙容器（１）を構成するタブシール（１２）として、例えば図５（ｂ）に示すように、基材シート（１５）の片面に厚み５０μｍ程度の低密度ポリエチレン（ＬＤＰＥ）などでなるシーラント層（１６）が押出しラミネートで形成されている。
【００３１】
上記基材シート（１５）としては、特に限定するものではないが、タブシール（１２）の存在を明確（判り易く）にするなどから、厚み３０μｍ程度のアルミニウム箔が使用されている。
【００３２】
以上のような構成の本発明のタブシール付液体飲料紙容器は、天面板には、飲み口部がタブシールで閉口され、側面胴部には一枚の比較的薄手のカートン用紙を主体とする積層材料の両端が封筒貼りでサイドシール部を形成していて、そのサイドシール部の一部に未シール部が設けられている小容量の飲みきりタイプの液体飲料紙容器であり、その液体飲
料の飲用に際し、天面板から剥離されたタブシールを、サイドシール部を構成する未シール部に一時的に仮置き（保持）することができる利便性に優れたタブシール付液体飲料紙容器である。
【図面の簡単な説明】
【００３３】
【図１】本発明のタブシール付液体飲料紙容器の一実施の形態を示すもので、（ａ）は、その斜視図であり、（ｂ）は、（ａ）のＢ−Ｂ面を表す断面図である。
【図２】本発明のタブシール付液体飲料紙容器の一事例を用い、液体飲料の飲用に際しタブシールを一時的に保持する状態を示すもので、（ａ）は、その斜視図であり、（ｂ）は、（ａ）のＢ−Ｂ面を表す断面図である。
【図３】本発明のタブシール付液体飲料紙容器の他の一事例を用い、液体飲料の飲用に際しタブシールを一時的に保持する状態を示すもので、（ａ）は、その斜視図であり、（ｂ）は、（ａ）のＢ−Ｂ面を表す断面図である。
【図４】本発明のタブシール付液体飲料紙容器の一事例を構成するサイドシール部の形態を説明するもので、（ａ）は、その一事例の正面図であり、（ｂ）は、他の事例の正面図であり、（ｃ）は、他の事例の正面図である。
【図５】本発明のタブシール付液体飲料紙容器を構成するタブシールを未シール部に挟み込む一状態を示す側断面図である。
【図６】本発明のタブシール付液体飲料紙容器の一事例を構成する各材料の積層図であり、（ａ）は、積層材料の積層断面図であり、（ｂ）は、タブシールの積層断面図である。
【図７】従来のタブシール付液体飲料紙容器の一事例を示すもので、（ａ）は、その斜視図であり、（ｂ）は、（ａ）のＢ−Ｂ面を表す断面図である。
【図８】従来のタブシール付液体飲料紙容器の他の一事例を示すもので、（ａ）は、その斜視図であり、（ｂ）は、（ａ）のＢ−Ｂ面を表す断面図である。
【符号の説明】
【００３４】
１‥‥タブシール付液体飲料紙容器
５‥‥ブリックタイプの液体飲料紙容器
６‥‥円筒状の液体飲料紙容器
７‥‥側面胴部
８‥‥天面板
９‥‥底面板
１０‥‥積層材料
１０ａ‥‥外側の積層材料
１０ｂ‥‥外側の積層材料
１１‥‥カートン用紙
１２‥‥タブシール
１２ａ‥‥タブシールの先端
１４‥‥バリア層
１５‥‥基材シート
１６‥‥シーラント層
１７‥‥ハーフカット溝
１８‥‥テープ
２０‥‥サイドシール部
２０ａ‥‥入り込む未シール部
２０ｂ‥‥突出する未シール部
２２‥‥切り欠き
３０‥‥飲み口部
Ａｌ‥‥アルミニウム箔
ＰＥ‥‥ポリエチレン層
ＳＰ‥‥サンドポリエチレン層
【図１】
2006036249.tif 000003
【図２】
2006036249.tif 000004
【図３】
2006036249.tif 000005
【図４】
2006036249.tif 000006
【図５】
2006036249.tif 000007
【図６】
2006036249.tif 000008
【図７】
2006036249.tif 000009
【図８】
2006036249.tif 000010